(57)【要約】  本発明は、収納家具の安全ロック装置に関し、より詳細には、衣服を重ねて保管したり、ファイルや各種道具を入れて保管するように複数の引き出しを備えた収納家具において、いずれか一つの引き出しが開放されたり、二つ以上の引き出しが同時に開放されるとき、残りの他の引き出しが開放されないように安全ロック装置を備えることによって、ユーザーの意図と関係なく開放される収納家具による安全事故を未然に防止するように構成された収納家具の安全ロック装置に関する。このために、本体に備えられたロッキングスライダーと、引き出しに備えられたロッキングプレート又は変位支持部とを含んで構成され、残っている引き出しがロッキングスライダーの上下スライディング移動によって掛かることによって、引き出しが引き出されることを防止するように構成される。
2019529757.tif 000002
【特許請求の範囲】
【請求項１】
本体（２）と、ローラー（３−１）が備えられた複数の引き出し（３）と、を有する収納家具の安全ロック装置において、
前記本体（２）の内側壁に立てられた形状に突出したロック部（１３）を有し、前記引き出し（３）が引き出されたり挿入されると、ローラー（３−１）によって持ち上げられたり下ろされ、上下方向にスライディング移動するロッキングスライダー（１０）と；
前記引き出し（３）に固定された形状であって、前記ロッキングスライダー（１０）の上下移動時に前記ロック部（１３）が掛かり、残っている引き出し（３）が引き出されることを防止するロッキングプレート（２０）と；を含んで構成され、
前記ロッキングスライダー（１０）は、本体の後方内側壁に設置され、前記ローラー（３−１）と接触しながら前記引き出し（３）が引き出されたり挿入されることをガイドする多数の水平バー（１１）と、前記水平バー（１１）からの延長部位に前記水平バー（１１）の一面との間に高さ段差（ａ）を有するように凹状の変位面（１４ａ）を有する変位部（１４）が形成され、前記本体（２）の高さ方向に立てられた垂直バー（１２）と、前記水平バー（１１）の一側に突出形成されたバー状の前記ロック部（１３）と、を含んで構成されたことを特徴とする収納家具の安全ロック装置。
【請求項２】
前記ロッキングプレート（２０）は、
板状であって、移動した前記ロック部（１３）が掛かって離脱しないように溝部（２３）を有することを特徴とする、請求項１に記載の収納家具の安全ロック装置。
【請求項３】
前記垂直バー（１２）には、本体（２）の内側壁に固定・突出したガイド部材（２−２）が嵌められるガイド長孔（１２ａ）が形成されたことを特徴とする、請求項１に記載の収納家具の安全ロック装置。
【請求項４】
本体（２）及び複数の引き出し（３）を有する収納家具の安全ロック装置において、
前記引き出し（３）の上部、下部及び側部のうちいずれか一つに備えられ、垂直の前端面（３１）と、前記前端面（３１）の一端部から上向き又は下向きの傾斜を有する傾斜面（３２）と、前記傾斜面（３２）の後端以降に水平に延長された維持面（３３）と、を有する変位支持部（３０）と；
前記本体（２）の内側壁に立てられた形状に上下にスライディング移動可能に設置され、前記傾斜面（３２）及び維持面（３３）が接触するように突出形成されたガイド金（１５）と、上下移動によって前記前端面（３１）が掛かったり通過できるように突出形成された掛け金（１６）と、を有するロッキングスライダー（１０'）と；を含み、
引き出し（３）が引き出されるとき、前記傾斜面（３２）及び維持面（３３）がガイド金（１５）を通過することによって、傾斜段差（ａ'）によって前記ロッキングスライダー（１０'）が上昇し、残っている引き出しの前端面（３１）が前記掛け金（１６）に掛かることによって、引き出し（３）が引き出されることが防止されることを特徴とする収納家具の安全ロック装置。
【請求項５】
本体（２）及び複数の引き出し（３）を有する収納家具の安全ロック装置において、
前記引き出し（３）の上部、下部及び側部のうちいずれか一つに備えられ、垂直の前端面（３１）と、前記前端面（３１）の一端部から上向き又は下向きの傾斜を有する傾斜面（３２）と、前記傾斜面（３２）の後端以降に水平に延長された維持面（３３）と、を有する変位支持部（３０）と；
前記本体（２）の内側壁に立てられた形状であって、本体（２）に挿入されて載せられた引き出しの前記前端面（３１）と同一線上に対応するように位置する掛け金（１６）と、長さ方向上端を弾力的に牽引したり、長さ方向下端を弾力的に押し上げる弾性部材（１８）と、前記弾性部材（１８）の動作を制御するボタン（１７）と、を有するロッキングスライダー（１０”）と；を含んで構成されたことを特徴とする収納家具の安全ロック装置。
【請求項６】
前記ロッキングスライダー（１０”）は、
前記掛け金（１６）と垂直線上に間隔を有して突出形成され、引き出し（３）が引き出されたり挿入されることによって前記傾斜面（３２）及び維持面（３３）に接触・対応するガイド金（１５）をさらに含んで構成されたことを特徴とする、請求項５に記載の収納家具の安全ロック装置。
【請求項７】
前記変位支持部（３０）は、前記引き出し（３）に溝状に備えられたり、又は引き出し（３）に固定・結合された長さを有するバー状であることを特徴とする、請求項４又は５に記載の収納家具の安全ロック装置。
【請求項８】
前記ロッキングスライダーは、前記本体の内側壁に形成されたガイド溝（２−３）に沿ってスライディング移動することを特徴とする、請求項４又は５に記載の収納家具の安全ロック装置。
【請求項９】
前記ガイド金（１５）と掛け金（１６）との間隔長さ（ｂ）は前端面（３１）の長さ（ｃ）より大きく、前記前端面の長さ（ｃ）と傾斜段差（ａ'、ａ”）の長さとの和は前記間隔長さ（ｂ）より大きいことを特徴とする、請求項４又は６に記載の収納家具の安全ロック装置。
【請求項１０】
前記引き出し（３）は、前方、側方及び後方のうちいずれか一つの部位に突出形成された延長プレート（３−２）を備えており、
前記本体（２）は、前記延長プレート（３−２）を挟んで固定するようにクリップ形式の固定ホルダー（４０）をさらに含んで構成されたことを特徴とする、請求項１、４及び５のいずれか１項に記載の収納家具の安全ロック装置。
【請求項１１】
本体（１１０、１１０'、１１０”）の内側壁に高さ方向に間隔を置いて二つ以上の個数で設置されたガイドレール（１１２、１１２'、１１２”）と；
対応する前記ガイドレール（１１２、１１２'、１１２”）の支持を受けながら前記本体（１１０、１１０'、１１０”）の前後方向に引き出されたり挿入される引き出し（１１４、１１４'、１１４”）と；
前記引き出し（１１４、１１４'、１１４”）の前方位置にある上部、下部及び側部のうちいずれか一つ以上の部位が後方に行くほど上向き又は下向きの傾斜面（１１６ａ）をなし、前記傾斜面の後端以降に続いた後方に前記ガイドレールと並んだ維持面（１１６ｂ）をなす変位支持部（１１６、１１６'、１１６”）と；
前記引き出しの前方位置にある上部、下部及び側部のうち前記傾斜面に対応する上下位置で前記傾斜面（１１６ａ）が指向する反対方向の位置に形成された掛け部（１１８、１１８'、１１８”）と；
前記本体（１１０、１１０'、１１０”）に対して前記引き出しが挿入された状態で、前記傾斜面及び掛け部に対応する前記本体の内側壁に立てられた形状に上下にスライディング移動可能に設置され、前記各傾斜面の前端に接触・対応するように突出形成されたスイッチ（１２０ａ、１２０ａ'、１２０ａ”）と、前記掛け部位置の下側から突出し、昇降移動によって前記引き出しが引き出されることを防止するように前記掛け部（１１８、１１８'、１１８”）に掛かるようにした掛け金（１２０ｂ、１２０ｂ'、１２０ｂ”）と、を備えたスライダー（１２０、１２０'、１２０”）と；を含んで構成された収納家具の安全ロック装置。
【請求項１２】
前記変位支持部（１１６、１１６'、１１６”）を前記引き出し（１１４、１１４'、１１４”）の前方位置の上部に設置するとき、前記傾斜面（１１６ａ）の前端から後端につながる区間は後方に行くほど上向きの角度をなし、
前記掛け部（１１８、１１８'、１１８”）は、前記傾斜面のうち後端に近接する位置で対応する前記引き出しの側部又は下部から下向きに突出した突起として形成され、
前記引き出しが閉鎖された状態で、前記スイッチ（１２０ａ、１２０ａ'、１２０ａ”）は前記傾斜面（１１６ａ）の前端に位置し、前記掛け金（１２０ｂ、１２０ｂ'、１２０ｂ”）は前記掛け部（１１８、１１８'、１１８”）の下端未満の高さに位置し、
前記スイッチ（１２０ａ、１２０ａ'、１２０ａ”）が前記傾斜面（１１６ａ）の後端に位置するとき、前記掛け金は前記掛け部に垂直に対応する位置に置かれるように構成されたことを特徴とする、請求項１１に記載の収納家具の安全ロック装置。
【請求項１３】
前記変位支持部（１１６、１１６'、１１６”）を前記引き出し（１１４、１１４'、１１４”）の前方位置の下部に設置するとき、前記傾斜面（１１６ａ）の前端から後端につながる区間は後方に行くほど下向きの角度をなし、
前記掛け部（１１８、１１８'、１１８”）は、前記傾斜面（１１６ａ）のうち後端に近接する位置で対応する前記引き出しの側部又は上部から上向きに突出した突起として形成され、
前記引き出しが閉鎖された状態で、前記スイッチ（１２０ａ、１２０ａ'、１２０ａ”）は前記傾斜面（１１６ａ）の前端に位置し、前記掛け金（１２０ｂ、１２０ｂ'、１２０ｂ”）は前記掛け部（１１８、１１８'、１１８"）の上端を超える高さに位置し、
前記スイッチ（１２０ａ、１２０ａ'、１２０ａ”）が前記傾斜面（１１６ａ）の後端に位置するとき、前記掛け金（１２０ｂ、１２０ｂ'、１２０ｂ”）は前記掛け部（１１８、１１８'、１１８”）に垂直に対応する位置に置かれるようにし、
前記スライダー（１２０、１２０'、１２０”）は、長さ方向上端を弾力的に牽引したり、長さ方向下端を弾力的に押し上げる弾性部材（１２２'、１２２”）をさらに備えて構成されることを特徴とする、請求項１１に記載の収納家具の安全ロック装置。
【請求項１４】
前記本体（１１０、１１０'、１１０”）は、前記本体の支持を受けながら前記スライダー（１２０、１２０'、１２０”）の昇・下降移動を制御し、前記掛け金（１２０ｂ、１２０ｂ'、１２０ｂ”）が対応する前記掛け部（１１８、１１８'、１１８”）に掛かるように構成されるロッキング部（１２４、１２４'、１２４”）をさらに備えて構成されることを特徴とする、請求項１１に記載の収納家具の安全ロック装置。
【発明の詳細な説明】
【技術分野】
【０００１】
本発明は、収納家具の安全ロック装置に関し、より詳細には、衣服を重ねて保管したり、ファイルや各種道具を入れて保管するように複数の引き出しを備えた収納家具において、いずれか一つの引き出しが開放されたり、二つ以上の引き出しが同時に開放されるとき、残りの他の引き出しが開放されないように安全ロック装置を備えることによって、ユーザーの意図と関係なく開放される収納家具による安全事故を未然に防止するように構成された収納家具の安全ロック装置に関する。
【背景技術】
【０００２】
一般に、収納家具は、様々な書類を保管するためのファイルボックスや各種道具などを区分して収納できるように構成されている。
【０００３】
しかし、従来技術に係る収納家具においては、複数の引き出しのうち一つの引き出しを引き出したり挿入しようとするとき、隣接した他の引き出しが収納物品などによって引っかかったり、構造的な問題によって所望でない引き出しが同時に引き出されたり挿入されるという問題があった。
【０００４】
このように、所望でない引き出しが共に引き出されるとき、各引き出しの内容物の重量が重い場合、収納家具が前方に傾いて倒れる危険があり、これを通じて、ユーザーが負傷したり、収納家具が損傷及び破損するおそれがあるなどの安全事故の危険があった。
【０００５】
また、過去の事例から見ると、幼い子供達が複数の引き出しを開放した後、各引き出しを踏みながら収納家具の上に上ろうとする行動などによる危険事故もあった。
【０００６】
このような問題を解決するために、一つの引き出しが開放された状態で他の引き出しが同時に開放されないように構成された収納家具が開発されているが、このような従来技術として、大韓民国登録特許第１０−０７６７０９６号（以下、「先行技術」という）が開示されたことがある。
【０００７】
しかし、前記のような先行技術に係る収納家具においては、ロック装置を構成する構成要素が複雑であり、多くの部品が含まれることによって組立工数が多くなり、製造費用が増加するなどの問題があった。
【０００８】
これは、全体の収納家具の価格を上昇させ、市場での価格競争力を低下させるという問題を有する。
【発明の概要】
【発明が解決しようとする課題】
【０００９】
本発明は、上述した従来技術の問題を解決するためになされたものであって、第一に、複数の引き出しのうちいずれか一つの引き出しが開放されたり、二つ以上の引き出しが同時に開放されると、残りの他の引き出しは開放されないように収納家具の安全ロック装置を提供することを目的とする。
【００１０】
第二に、安全ロック装置の構成を単純化しながら部品の数を減少させ、設置及び維持補修が容易な収納家具の安全ロック装置を提供することを目的とする。
【課題を解決するための手段】
【００１１】
前記目的を具現するための本発明に係る収納家具の安全ロック装置は、本体と、ローラーが備えられた複数の引き出しとを有する収納家具に備えられるが、第１実施形態として、ロッキングスライダー及びロッキングプレートを含んで構成される。
【００１２】
ロッキングスライダーは、本体の内側壁に立てられた形状に突出したロック部を有し、引き出しが引き出されたり挿入されると、ローラーによって持ち上げられたり下ろされ、上下方向にスライディング移動する。
【００１３】
ロッキングプレートは、引き出しに固定された形状であって、ロッキングスライダーの上下移動時にロック部が掛かり、残っている引き出しが引き出されることを防止する。
【００１４】
このとき、ロッキングプレートは、板状であって、移動したロック部が掛かって離脱しないように溝部を有することが好ましい。
【００１５】
一方、具体的に、ロッキングスライダーは、本体の後方内側壁に設置され、ローラーと接触しながら引き出しが引き出されたり挿入されることをガイドする多数の水平バーと、水平バーからの延長部位に水平バーの一面との間に高さ段差を有するように凹状の変位面を有する変位部が形成され、本体の高さ方向に立てられた垂直バーと、水平バーの一側に突出形成されたバー状のロック部とを含んで構成される。
【００１６】
このとき、垂直バーには、本体の内側壁に固定・突出したガイド部材が嵌められるガイド長孔が形成される。
【００１７】
そして、第２実施形態として、本体及び複数の引き出しを有する収納家具の安全ロック装置は、変位支持部及びロッキングスライダーを含んで構成される。
【００１８】
このとき、変位支持部は、引き出しの上部、下部及び側部のうちいずれか一つに備えられ、垂直の前端面と、前端面の一端部から上向き又は下向きの傾斜を有する傾斜面と、傾斜面の後端以降に水平に延長された維持面とを有するように構成される。
【００１９】
そして、ロッキングスライダーは、本体の内側壁に立てられた形状に上下にスライディング移動可能に設置され、傾斜面と維持面が接触するように突出形成されたガイド金と、上下移動によって前端面が掛かったり通過できるように突出形成された掛け金とを有する。
【００２０】
これによって、引き出しが引き出されるときに傾斜面及び維持面がガイド金を通過することによって、ロッキングスライダーが傾斜段差によって上昇し、残っている引き出しの前端面が掛け金に掛かり、残っている引き出しが引き出されることが防止される。
【００２１】
一方、第３実施形態として、収納家具の安全ロック装置において、変位支持部は、引き出しの上部、下部及び側部のうちいずれか一つに備えられ、垂直の前端面と、前端面の一端部から上向き又は下向きの傾斜を有する傾斜面と、傾斜面の後端以降に水平に延長された維持面とを有する。
【００２２】
そして、ロッキングスライダーは、本体の内側壁に立てられた形状であって、本体に挿入されて載せられた引き出しの前端面と同一線上に対応するように位置する掛け金と、長さ方向上端を弾力的に牽引したり、長さ方向下端を弾力的に押し上げる弾性部材と、弾性部材の動作を制御するボタンとを有するように構成される。
【００２３】
そして、必要に応じて、第２実施形態のように、ロッキングスライダーは、掛け金と垂直線上に間隔を有して突出形成され、引き出しが引き出されたり挿入されることによって、傾斜面及び維持面に接触・対応するガイド金をさらに含んで構成する。
【００２４】
一方、第２実施形態及び第３実施形態の変位支持部は、引き出しに溝状に備えられたり、又は引き出しに固定・結合された長さを有するバー状であり得る。
【００２５】
また、ロッキングスライダーは、本体の内側壁に形成されたガイド溝に沿ってスライディング移動する。
【００２６】
そして、ガイド金と掛け金との間隔長さは前端面の長さより大きく、前端面の長さと傾斜段差の長さとの和は前記間隔長さより大きいことを特徴とする。
【００２７】
一方、第４実施形態として、引き出しは、前方、側方及び後方のうちいずれか一つの部位に突出形成された延長プレートを備えている。
【００２８】
そして、本体は、延長プレートを挟んで固定するようにクリップ形式の固定ホルダーをさらに含んで構成される。
【発明の効果】
【００２９】
このように、本発明に係る収納家具の安全ロック装置は、本体に備えられたロッキングスライダーが、引き出しに備えられたロッキングプレートに掛かる単純な構造で構成されたり、変位支持部又は固定ホルダーの利用によって安全ロック装置の構成が単純化されることによって、部品の数を減少させ、設置が容易であるという効果を有する。
【００３０】
また、簡単な部品により、一つの引き出しが開放されると、他の引き出しが開放されないように構成され、ユーザーの意図しない安全事故を予防するという効果を有する。
【００３１】
さらに、二つ以上の引き出しを開放して使用しようとするとき、ユーザーが注意しながら二つ以上の引き出しを同時に開放することによって、注意力を喚起させ、安全事故を予防するという効果を有する。
【図面の簡単な説明】
【００３２】
【図１（ａ）】本発明の第１実施形態に係る収納家具の安全ロック装置及びその作動関係を説明するための図である。
【図１（ｂ）】本発明の第１実施形態に係る収納家具の安全ロック装置及びその作動関係を説明するための図である。
【図２（ａ）】本発明の第２実施形態に係る収納家具の安全ロック装置及びその作動関係を説明するための図である。
【図２（ｂ）】本発明の第２実施形態に係る収納家具の安全ロック装置及びその作動関係を説明するための図である。
【図２（ｃ）】本発明の第２実施形態に係る収納家具の安全ロック装置及びその作動関係を説明するための図である。
【図３（ａ）】本発明の第３実施形態に係る収納家具の安全ロック装置及びその作動関係を説明するための図である。
【図３（ｂ）】本発明の第３実施形態に係る収納家具の安全ロック装置及びその作動関係を説明するための図である。
【図３（ｃ）】本発明の第３実施形態に係る収納家具の安全ロック装置及びその作動関係を説明するための図である。
【図４】本発明の第３実施形態に係る収納家具の安全ロック装置のロッキングスライダーの変形例を示す図である。
【図５】本発明の第４実施形態に係る収納家具の安全ロック装置を示す図である。
【図６（ａ）】本発明の第５実施形態に係る収納家具の安全ロック装置を示す図である。
【図６（ｂ）】本発明の第５実施形態に係る収納家具の安全ロック装置を示す図である。
【図６（ｃ）】本発明の第５実施形態に係る収納家具の安全ロック装置を示す図である。
【図７（ａ）】本発明の第６実施形態に係る収納家具の安全ロック装置を示す図である。
【図７（ｂ）】本発明の第６実施形態に係る収納家具の安全ロック装置を示す図である。
【図８（ａ）】本発明の第７実施形態に係る収納家具の安全ロック装置を示す図である。
【図８（ｂ）】本発明の第７実施形態に係る収納家具の安全ロック装置を示す図である。
【発明を実施するための形態】
【００３３】
本発明は、最善の形態として、本体２と、ローラー３−１が備えられた複数の引き出し３とを有する収納家具の安全ロック装置において、
前記本体２の内側壁に立てられた形状に突出したロック部１３を有し、前記引き出し３が引き出されたり挿入されると、ローラー３−１によって持ち上げられたり下ろされ、上下方向にスライディング移動するロッキングスライダー１０と；前記引き出し３に固定された形状であって、前記ロッキングスライダー１０の上下移動時に前記ロック部１３が掛かり、残っている引き出し３が引き出されることを防止するロッキングプレート２０と；を含んで構成されており、
前記ロッキングスライダー１０は、本体の後方内側壁に設置され、前記ローラー３−１と接触しながら前記引き出し３が引き出されたり挿入されることをガイドする多数の水平バー１１と、前記水平バー１１からの延長部位に前記水平バー１１の一面との間に高さ段差ａを有するように凹状の変位面１４ａを有する変位部１４が形成され、前記本体２の高さ方向に立てられた垂直バー１２と、前記水平バー１１の一側に突出形成されたバー状の前記ロック部１３とを含んで構成されたことを特徴とする収納家具の安全ロック装置を提示する。
【００３４】
以下では、添付の図面を参照して、本発明に係る収納家具の安全ロック装置の好適な実施形態に対して詳細に説明する。
【００３５】
まず、本発明を説明するにおいて、上側（上部）又は下側（下部）という表現は、収納家具本体が立てられた状態を基準にすると同時に、引き出しの開放時に引き出しの開口が上側に向かうように構成したことを基準にする。
【００３６】
併せて、本発明を説明するにおいて、前方という表現は、本体から引き出しが引き出される方向又はその方向にある部位を称するものとし、後方という表現は、本体に対して引き出しが挿入される方向又はその方向にある部位を称するものとする。
【００３７】
一方、本発明を説明するにおいて、関連する公知機能或いは構成に対する具体的な説明は、本発明の要旨を不明瞭にすることを防止するために省略する。
【００３８】
図示したように、本発明の実施形態に係る収納家具の安全ロック装置は、複数の引き出し３のうちいずれか一つの引き出し３が開放されたり、二つ以上の引き出し３が同時に開放されると、残りの他の引き出し３は開放されないように構成することによって、意図せずに開放される収納家具１による安全事故を未然に防止する。
【００３９】
このために、図１（ａ）（ｂ）を参照すると、第１実施形態として、本発明に係る収納家具の安全ロック装置は、大きく分けると、本体２に備えられ、引き出し３の開放によって上下にスライディング移動するロッキングスライダー１０と、引き出し３に備えられ、上下に移動するロッキングスライダー１０のロック部１３が掛かるように構成されたロッキングプレート２０とを含んで構成される。
【００４０】
通常の収納家具１は、内部空間を有し、開口された前方を有する本体２と、本体２に必要に応じてガイドレールなどの部材を備えており、これに沿ってスライド式で引き出されたり挿入される複数の引き出し３とを含んで構成される。
【００４１】
図面において、前記引き出し３は、説明の便宜のために仮想線で表示しており、容易に引き出されたり挿入されるように後方にローラー３−１が一体に構成される。
【００４２】
一方、前記ロッキングスライダー１０は、本体２の内側壁に立てられた形状に一方向に突出したロック部１３を有し、複数の引き出し３のうちいずれか一つの引き出し３が引き出されたり挿入されるとき、又は二つ以上の引き出し３が同時に引き出されたり挿入されるとき、引き出し３に固定形成されたローラー３−１によって上下方向にスライディング移動するように構成される。
【００４３】
具体的に、引き出し３が引き出されたり挿入されるとき、引き出しのローラー３−１が、ロッキングスライダー１０に形成された段差を有する変位部１４を通過することによって、前記ロッキングスライダー１０は本体の内側壁を上下にスライディング移動するようになる。
【００４４】
そして、前記ロッキングプレート２０は、引き出し３に固定された形状であって、ロッキングスライダー１０の上下移動時、ロッキングスライダー１０に突出したロック部１３が嵌められたり挿入される構造で掛かるようにし、残っている引き出し３が引き出されることを防止するように構成される。
【００４５】
より詳細には、図示したように、前記ロッキングスライダー１０は、本体２の内側壁後方に設置され、水平バー１１、垂直バー１２及びロック部１３を含んで構成されるが、前記水平バー１１と垂直バー１２との連結部分には、引き出し３が引き出されたとき、ローラー３−１によってロッキングスライダー１０の位置が上下に変位するように屈曲形状に変位部１４が形成される。
【００４６】
このとき、前記水平バー１１は、引き出し３が引き出されたり挿入される過程で、水平に移動するローラー３−１と接触しながら前記引き出し３が引き出されたり挿入されることをガイドするが、引き出し３の個数に対応する個数で備えられ、ローラー３−１に対応する位置に形成される。
【００４７】
そして、前記垂直バー１２には、水平バー１１から延長されるように連結された折曲部位に前記水平バー１１の一面との間に高さ段差ａを有するように凹状の変位面１４ａを有する変位部１４が形成される。
【００４８】
これによって、引き出し３が引き出されたり挿入されるとき、ローラー３−１が前記変位部１４の変位面１４ａを通過することによって、ロッキングスライダー１０の位置は上下方向にスライディング移動する。
【００４９】
また、前記垂直バー１２には、本体２の内側壁に固定・突出したガイド部材２−２が嵌められる多数のガイド長孔１２ａが形成される。
【００５０】
一方、前記水平バー１１の一側には、上部方向に突出形成されたバー状のロック部１３が備えられるが、ロッキングスライダー１０の上下移動時、ロック部１３がロッキングプレート２０に掛かることによって引き出し３の移動を防止するようになる。
【００５１】
好ましくは、前記ロッキングプレート２０は、板状であって、移動した前記ロック部１３が接触・対応して掛かるように溝部２３を有する。
【００５２】
具体的に、ロッキングプレート２０は、引き出し３の上面に固定された固定板２１と、前記固定板２１が折曲形成された垂直板２２とを含んで構成された折り曲げられた板状であって、前記固定板２１には、ロック部１３が移動しながら挿入され得る溝部２３が形成される。
【００５３】
以下では、再び図１（ａ）（ｂ）を参照して、本発明の第１実施形態に係る収納家具の安全ロック装置の使用状態を説明する。
【００５４】
図１（ａ）を参照すると、収納家具１の本体２に複数の引き出し３が載せられた状態で、引き出し３のローラー３−１が変位部１４の変位面１４ａに載せられた状態で位置し、このとき、ロッキングスライダー１０のロック部１３は、いずれの部分にも掛かることなく自由に移動可能な状態であり、その結果、収納家具１のユーザーは、複数の引き出し３のうち一つの引き出し３を引き出したり、二つの引き出し３を同時に引き出して使用することができる。
【００５５】
図１（ｂ）を参照すると、ユーザーが収納家具１の引き出し３のうちいずれか一つを前方に引き出すとき、前記ローラー３−１は、変位部１４に形成された変位面１４ａの傾斜に沿って移動し、ロッキングスライダー１０の水平バー１１の底面に沿って移動するようになる。
【００５６】
図面には、一つの引き出しを前方に引き出した場合を示したが、必要に応じて、ユーザーが二つの引き出しを同時に引き出せることは当然である。
【００５７】
このとき、変位面の高さ段差ａにより、引き出しのローラー３−１の移動時、ロッキングスライダー１０のガイド長孔１２ａが本体２の上部にガイド部材２−２に沿ってスライディング移動するようになる。
【００５８】
前記ロッキングスライダー１０が上部に移動することによって、残っている引き出し３のロッキングプレート２０に対応するように上部に突出形成されたロック部１３は、上部に移動するときにロッキングプレート２０の溝部２３に挿入されたり嵌められる。
【００５９】
これによって、ユーザーが残った引き出し３を前方に引き出すために引っ張ったとしても、ロック部１３がロッキングプレート２０に掛かることによって、残っている引き出し３は引き出されなくなる。
【００６０】
このような単純なロッキングスライダー１０及びロッキングプレート２０の構造のみで、ユーザーの意図と関係なく引き出し３が開放されることを防止することができ、安全事故を未然に防止することができる。
【００６１】
以下では、本発明に係る収納家具の安全ロック装置の第２実施形態を図２（ａ）（ｂ）（ｃ）を参照して説明する。
【００６２】
前記収納家具の安全ロック装置は、ユーザーが引き出しを引き出すとき、残った引き出しが引き出されないように、大きく分けると、本体２に備えられ、上下に移動するロッキングスライダー１０'と、引き出し３に備えられ、前記ロッキングスライダー１０'が上下に移動できるようにこれを支持する変位支持部３０とを含んで構成される。
【００６３】
まず、前記変位支持部３０は、引き出し３の上部、下部及び側部のうちいずれか一つに備えられ、垂直の前端面３１と、前記前端面３１の一端部から上向きの傾斜を有する傾斜面３２と、前記傾斜面３２の後端以降に水平に延長された維持面３３とを有する。
【００６４】
図面には、前記変位支持部３０を引き出しの側部に形成する場合を例に挙げて示した。
【００６５】
このような変位支持部３０は、引き出しの上部、下部及び側部のうちいずれか一つの部位に溝などを形成して構成したり、別途のバー状などの単純な構造の部材を付加的に設置して構成することができる。
【００６６】
図示した実施形態では、前記変位支持部３０が、別途のバー状に固定・結合された長さを有する部材として設置される場合を示して説明した。
【００６７】
そして、前記ロッキングスライダー１０'は、本体２の内側壁に立てられた形状であって、引き出し３が引き出されたり挿入されると、上下にスライディング移動するように設置される。
【００６８】
好ましくは、ロッキングスライダー１０'は、本体の内側壁に形成されたガイド溝２−３に沿ってスライディング移動する。
【００６９】
そして、前記ロッキングスライダー１０'は、引き出し３が引き出されたり挿入されるとき、変位支持部３０の傾斜面３２及び維持面３３が接触して移動するように突出形成されたガイド金１５と、上下移動によって他の引き出し３の変位支持部３０の前端面３１が掛かったり通過できるように突出形成された掛け金１６とを有する。
【００７０】
このような構成により、ユーザーが使用しようとする引き出し３を引き出すと、引き出し３に形成された変位支持部３０の傾斜面３２及び維持面３３がロッキングスライダー１０'のガイド金１５を通過することによって、前記傾斜面３２及び維持面３３が形成する傾斜段差ａ'の高さ差によってロッキングスライダー１０'がガイド溝２−３に沿って上昇するようになる。
【００７１】
このとき、残っている引き出し３の変位支持部３０の前端面３１は、上昇したロッキングスライダー１０'の掛け金１６に掛かるように水平線上に位置し、ユーザーが残っている引き出し３を引き出すために引っ張ると、前記前端面３１が掛け金１６に掛かることによって、残っている引き出し３が引き出されることが防止される。
【００７２】
このために、前記ロッキングスライダー１０'のガイド金１５と掛け金１６との間隔長さｂは、引き出し３が引き出せるように前端面３１の長さｃより大きく、前記前端面の長さｃと傾斜段差ａ'の長さとの和は前記間隔長さｂより大きく形成され、ロッキングスライダー１０'が上昇すると、残っている引き出しの前端面３１が掛け金１６に掛かるように形成されることが好ましい。
【００７３】
以下では、再び図２（ａ）（ｂ）（ｃ）を参照して、本発明の第２実施形態に係る収納家具の安全ロック装置の使用状態を説明する。
【００７４】
図２（ａ）において、収納家具１の引き出し３は、いずれも本体２の内部に挿入されて載せられた状態であり、ロッキングスライダー１０'はガイド溝２−３に沿って自由に移動可能な状態である。
【００７５】
図２（ｂ）及び図２（ｃ）は、ユーザーが一つの引き出し３を利用するために引き出す状態を示し、引き出される引き出し３の変位支持部３０の前端面３１がロッキングスライダー１０'のガイド金１５と掛け金１６との間隔ｂを通過することによって引き出し３が引き出される。このとき、ロッキングスライダー１０'のガイド金１５は、引き出される引き出し３の変位支持部３０に形成された傾斜面３２及び維持面３３が形成する傾斜段差ａ'の高さに押し上げられる。
【００７６】
これによって、ロッキングスライダー１０'は上部に上昇する。
【００７７】
一方、残っている引き出し３は、引き出される引き出し３によってロッキングスライダー１０'が上昇することによって、掛け金１６が変位支持部３０の前端面３１と同一線上に位置するようになり、ユーザーが残っている引き出し３を引っ張って引き出そうとすると、前記前端面３１が掛け金１６に掛かることによって、引き出し３が引き出されることが防止される。
【００７８】
まず、図２（ａ）の状態で、ユーザーは二つ以上の引き出し３を開放することができ、二つ以上の引き出し３を開放する場合は、同時に開放して引き出そうとする引き出し３の変位支持部３０の前端面３１がロッキングスライダー１０'のガイド金１５と掛け金１６との間隔ｂを同時に通過することによって、引き出し３が引き出せるようになる。
【００７９】
このように、二つ以上の引き出しを使用するとき、ユーザーが注意を傾けて使用することによって安全事故を予防することができる。
【００８０】
一方、図面には、前記変位支持部３０の傾斜面３２が前端面３１の一端部から上向きの傾斜を有するように形成される場合を示し、ロッキングスライダー１０'の上昇時に変位支持部３０の前端面３１が掛け金１６に掛かるように示したが、必要に応じて、前記傾斜面３２は前端面３１の一端部から下向きの傾斜を有し、ロッキングスライダー１０'のガイド金１５と掛け金１６は、互いの役割を変えて、前記ロッキングスライダー１０'の下降時、残っている引き出し３が引き出されることが防止できるように構成可能であることは当然である。
【００８１】
以下では、本発明に係る収納家具の安全ロック装置の第３実施形態を図３（ａ）（ｂ）（ｃ）を参照して説明する。
【００８２】
前記収納家具の安全ロック装置は、ユーザーが引き出しを引き出すとき、残った引き出しが引き出されないように、大きく分けると、本体２に備えられ、上下に移動するロッキングスライダー１０”と、引き出し３に備えられ、前記ロッキングスライダー１０”が上下に移動できるようにこれを支持する変位支持部３０とを含んで構成される。
【００８３】
前記変位支持部３０の構造及び構成は上述した第２実施形態と同一であり、これに対する敍述は省略する。
【００８４】
一方、前記ロッキングスライダー１０”は、本体２の内側壁に立てられた形状であって、本体２に挿入されて載せられた引き出しに構成された変位支持部３０の前端面３１と同一線上に対応するように位置する掛け金１６と、長さ方向上端を弾力的に牽引したり、長さ方向下端を弾力的に押し上げる弾性部材１８と、弾性部材１８の動作を制御するボタン１７とを含んで構成される。
【００８５】
図面には、前記弾性部材１８は、本体２の下部側に備えられ、ロッキングスライダー１０”を弾力的に押し上げるように示し、ボタン１７を本体の上部に備えたが、必要に応じて、前記弾性部材１８が本体２の上部側に備えられるように構成可能であることは当然である。
【００８６】
そして、ロッキングスライダー１０”は、本体の内側壁に形成されたガイド溝２−３に沿ってスライディング移動する。
【００８７】
以下では、このような構造を有する第３実施形態に係る収納家具の安全ロック装置の作動状態を説明する。
【００８８】
図３（ａ）に示したように、本体２内の複数の引き出し３が挿入されて載せられた状態で、前記ロッキングスライダー１０”は弾性部材１８によって常に上部に押し上げられた状態であり、このとき、ロッキングスライダー１０”の掛け金１６は、変位支持部３０の前端面３１と同一線上に対応するように位置した状態であって、ユーザーが引き出し３を使用するために引き出そうとしても、前端面３１が掛け金１６に掛かることによって、引き出し３が引き出されることが防止された状態である。
【００８９】
図３（ｂ）に示したように、ユーザーが引き出し３を使用しようとするとき、ユーザーは、まず、ボタン１７を押し、ロッキングスライダー１０”の弾性部材１８を押すことによってロッキングスライダー１０”を下降させる。
【００９０】
このとき、ロッキングスライダー１０”の掛け金１６は変位支持部３０の下部に押され、引き出し３は自由に引き出せる状態になり、ユーザーは、図３（ｃ）に示したように、使用しようとする引き出し３を引き出すようになる。
【００９１】
そして、ユーザーがボタン１７を押す力を除去すると、再びロッキングスライダーが上昇するようになり、残っている引き出し３の変位支持部３０の前端面３１が再びロッキングスライダー１０”の掛け金１６に掛かることによって、引き出し３が引き出されることが防止される状態になる。
【００９２】
換言すると、ユーザーが引き出しを使用しようとするときは、常にボタン１７を押し、ロッキングスライダー１０”を下降させるように構成される。
【００９３】
一方、第３実施形態において、前記ロッキングスライダー１０”は、第２実施形態におけるロッキングスライダー１０'と同一の構造及び構成を有するように構成され得る。
【００９４】
換言すると、ロッキングスライダー１０”は、前記掛け金１６と垂直線上に間隔ｂを有して突出形成され、引き出し３が引き出されたり挿入されることによって傾斜面３２及び維持面３３に接触・対応するガイド金１５をさらに含んで構成される。
【００９５】
このような構成により、ロッキングスライダー１０”は、図３（ｂ）に示すように、弾性部材１８の弾性力によってロッキングスライダー１０”が上昇していくとき、ガイド金１５が変位支持部３０の傾斜面３２に乗って上がり、維持面３３に沿って移動することによってより容易に上昇できるようにする。
【００９６】
続いて、第４実施形態として、本発明に係る収納家具の安全ロック装置は、それぞれの個別的な引き出し３ごとに固定ホルダー４０をさらに含んで構成され得る。
【００９７】
このような固定ホルダー４０は別途に構成されたり、第１〜第３実施形態の構造に含ませて構成され得ることは当然である。
【００９８】
このために、前記引き出し３には、前方、側方及び後方のうちいずれか一つの部位に突出形成された延長プレート３−２が形成され、前記固定ホルダー４０は、本体２の後方に固定されて備えられ、延長プレート３−２を挟んで固定するようにクリップ形式に構成される。
【００９９】
具体的に、ユーザーが引き出し３を使用してから本体２に押し入れるとき、延長プレート３−２は固定ホルダー４０を押すようになり、このとき、固定ホルダー４０は、クリップの閉鎖によって延長プレート３−２を挟むことによって、引き出し３が引き出されることを防止する。
【０１００】
そして、ユーザーが引き出し３を使用するために再び引き出し３を軽く押しながら圧力を加えると、延長プレート３−２が固定ホルダー４０を押し、固定ホルダー４０がクリップを開放させることによって引き出し３が引き出される。
【０１０１】
上述した圧力によるスイッチクリップ方式の固定ホルダー４０は、多数の分野に使用される圧力によるスイッチクリップ方式であって、その具体的な構造は、本発明の要旨を不明瞭にすることを防止するために省略する。
【０１０２】
続いて、以下では、図６（ａ）（ｂ）（ｃ）〜図８（ａ）（ｂ）を参照して、本発明の第５〜第７実施形態に係る収納家具の安全ロック装置を説明する。
【０１０３】
図示したように、本体１１０、１１０'、１１０”の内側壁に高さ方向に間隔を置いて二つ以上の個数で設置されたガイドレール１１２、１１２'、１１２”と；対応するガイドレール１１２、１１２'、１１２”の支持を受けながら本体１１０、１１０'、１１０”の前後方向に引き出されたり挿入される引き出し１１４、１１４'、１１４”と；引き出し１１４、１１４'、１１４”の前方位置にある上部、下部及び側部のうちいずれか一つ以上の部位が後方に行くほど上向き又は下向きの傾斜面１１６ａをなし、傾斜面１１６ａの後端以降に続いた後方にガイドレール１１２、１１２'、１１２”と並んだ維持面１１６ｂをなす変位支持部１１６、１１６'、１１６”と；を備えている。
【０１０４】
また、本発明の収納家具の安全ロック装置は、引き出し１１４、１１４'、１１４”の前方位置にある上部、下部及び側部のうち傾斜面１１６ａに対応する上下位置で傾斜面１１６ａが指向する方向（上向き又は下向き）の反対方向の位置に形成された掛け部１１８、１１８'、１１８”と；本体１１０、１１０'、１１０”に対して引き出し１１４、１１４'、１１４”が挿入された状態で傾斜面１１６ａ及び掛け部１１８、１１８'、１１８”に対応する本体１１０、１１０'、１１０”の内側壁に立てられた形状に上下スライディング移動可能に設置され、各傾斜面１１６ａの前端に接触・対応するように突出形成されたスイッチ１２０ａ、１２０ａ'、１２０ａ”と、掛け部１１８、１１８'、１１８”位置の下側から突出し、昇降移動によって引き出し１１４、１１４'、１１４”が引き出されることを防止するように掛け部１１８、１１８'、１１８”に掛かるように構成された掛け金１２０ｂ、１２０ｂ'、１２０ｂ”とを備えたスライダー１２０、１２０'、１２０”と；を含む。
【０１０５】
また、変位支持部１１６、１１６'、１１６”を引き出し１１４、１１４'、１１４”の前方位置の上部に設置するとき、傾斜面１１６ａの前端から後端につながる区間は後方に行くほど上向きの角度をなし、掛け部１１８、１１８'、１１８”は、傾斜面１１６ａのうち後端に近接する位置で対応する引き出し１１４、１１４'、１１４”の側部又は下部から下向きに突出した突起として形成され、引き出し１１４、１１４'、１１４”が閉鎖された状態で、スイッチ１２０ａ、１２０ａ'、１２０ａ”は傾斜面１１６ａの前端に位置し、掛け金１２０ｂ、１２０ｂ'、１２０ｂ”は掛け部１１８、１１８'、１１８”の下端未満の高さに位置し、スイッチ１２０ａ、１２０ａ'、１２０ａ”が傾斜面１１６ａの後端に位置するとき、掛け金１２０ｂ、１２０ｂ'、１２０ｂ”は掛け部１１８、１１８'、１１８”に垂直に対応する位置に置かれることが好ましい。
【０１０６】
そして、変位支持部１１６、１１６'、１１６”を引き出し１１４、１１４'、１１４”の前方位置の下部に設置するとき、傾斜面１１６ａの前端から後端につながる区間は後方に行くほど下向きの角度をなし、掛け部１１８、１１８'、１１８”は、傾斜面１１６ａのうち後端に近接する位置で対応する引き出し１１４、１１４'、１１４”の側部又は上部から上向きに突出した突起として形成され、引き出し１１４、１１４'、１１４”が閉鎖された状態で、スイッチ１２０ａ、１２０ａ'、１２０ａ”は傾斜面１１６ａの前端に位置し、掛け金１２０ｂ、１２０ｂ'、１２０ｂ”は掛け部１１８、１１８'、１１８”の上端を超える高さに位置し、スイッチ１２０ａ、１２０ａ'、１２０ａ”が傾斜面１１６ａの後端に位置するとき、掛け金１２０ｂ、１２０ｂ'、１２０ｂ”は掛け部１１８、１１８'、１１８”に垂直に対応する位置に置かれるようにし、スライダー１２０、１２０'、１２０”は、長さ方向上端を弾力的に牽引したり、長さ方向下端を弾力的に押し上げる弾性部材１２２'、１２２”をさらに備えて構成され得る。
【０１０７】
併せて、本体１１０、１１０'、１１０”には、本体１１０、１１０'、１１０”の支持を受けながらスライダー１２０、１２０'、１２０”の昇・下降移動を制御し、掛け金１２０ｂ、１２０ｂ'、１２０ｂ”が対応する掛け部１１８、１１８'、１１８”に掛かるように構成されるロッキング部１２４、１２４'、１２４”をさらに備えることが好ましい。
【０１０８】
以上で説明した本発明は、発明の属する技術分野で通常の知識を有する者によって、本発明の技術的思想を逸脱しない範囲内で様々な置換、変形及び変更が可能であるので、上述した実施形態及び添付の図面に限定されることはない。
【図１ａ】
2019529757.tif 000003
【図１ｂ】
2019529757.tif 000004
【図２ａ】
2019529757.tif 000005
【図２ｂ】
2019529757.tif 000006
【図２ｃ】
2019529757.tif 000007
【図３ａ】
2019529757.tif 000008
【図３ｂ】
2019529757.tif 000009
【図３ｃ】
2019529757.tif 000010
【図４】
2019529757.tif 000011
【図５】
2019529757.tif 000012
【図６ａ】
2019529757.tif 000013
【図６ｂ】
2019529757.tif 000014
【図６ｃ】
2019529757.tif 000015
【図７ａ】
2019529757.tif 000016
【図７ｂ】
2019529757.tif 000017
【図８ａ】
2019529757.tif 000018
【図８ｂ】
2019529757.tif 000019
【国際調査報告】
2019529757.tif 000020
2019529757.tif 000021
2019529757.tif 000022
2019529757.tif 000023